(57)【要約】住宅建築において継手を閉鎖、封止、および接着するための感圧性テープが提案され、これはテープの上側上のバッキング（１）と、テープの下側に設けられる接着層（２）とを含み、接着層は引き剥がし可能なカバーフィルム（３）を設けられ、カバーフィルムは長手方向において少なくとも１つのスリット（６）を有し、テープはスリットに沿ってそれ自体の上に折り曲げられ、よってカバーフィルム（３）の少なくとも一部は外側に配置される。
2004502019.tif 000002
【特許請求の範囲】
【請求項１】
住宅建築において、継手、特に角および縁における継手を閉鎖、封止、および接着するための感圧性テープであって、該テープの上側上のバッキングと、該テープの下側に設けられる接着層とを含み、該接着層は引き剥がし可能なカバーフィルムを設けられ、該カバーフィルムは長手方向において少なくとも１つのスリットを有し、前記テープは該スリットに沿ってそれ自体の上に横方向に折り曲げられ、よって前記カバーフィルムの少なくとも一部は外側に配置される、感圧性テープ。
【請求項２】
前記テープは２つのスリットを有し、かつスリットの１つに沿って横方向に折畳まれる、請求項１に記載のテープ。
【請求項３】
前記バッキングは紙および／またはプラスチックフィルムからなり、前記接着層は感圧性アクリレート接着剤である、請求項１または請求項２に記載のテープ。
【請求項４】
前記バッキングは、前記テープの長手方向に対して横方向に手で裂き得るものである、前記請求項のいずれかに記載のテープ。
【請求項５】
前記接着層は、接着中央帯状片を有し、前記カバーフィルムは、該接着中央帯状片と隣接する前記接着層との間の線に沿ってスリットを設けられ、該線に沿って折畳まれる、前記請求項のいずれかに記載のテープ。
【請求項６】
折畳まれた状態で巻かれて接着テープロールにされる、前記請求項のいずれかに記載のテープ。
【請求項７】
前記中間層は、ロールの少なくとも折畳側に設けられる、請求項６に記載のテープ。
【請求項８】
前記テープは、嵌め合うロール解きデバイスに巻かれ、該デバイスから再びロールが解かれ得る、前記請求項のいずれかに記載のテープ。
【請求項９】
少なくとも折畳側において、ロール解きデバイスへの接着を防ぐための手段が設けられる、請求項８に記載のテープ。
【請求項１０】
折畳まれていない状態で少なくとも３から４ｃｍ幅である、前記請求項のいずれかに記載のテープ。
【請求項１１】
巻かれて接着テープロールにされた請求項１から請求項１０のいずれかに記載の感圧性テープのためのディスペンサであって、該ディスペンサは接着テープロールを本質的に囲み、かつテープのための少なくとも１つの出口スロットを有する、ディスペンサ。
【請求項１２】
厚紙が材料として用いられる、請求項１１に記載のディスペンサ。
【発明の詳細な説明】
【０００１】
この発明は、住宅建築における継手の閉鎖、封止、および接着のための、特に角および縁における継手に好適である感圧性テープ、いわゆる組立用接着テープと、そのようなテープのためのディスペンサとに関する。そのような接着テープは、たとえば住宅建築において、ドアまたは窓のような異なった建築要素が住宅の外壁の中に挿入され、要素と住宅の外壁との間に形成された継手を閉鎖しなければならない場合に用いられる。そのような感圧性テープは、接着層が接続されるバッキング層を有し、接着層は通常は、カバーフィルムが付与され、このカバーフィルムは引き剥がし可能である。
【０００２】
そのような感圧性テープの問題点は、容易には届かない領域にテープを貼付して継手を十分に封止し、同時に、それらの継手をできる限り気密で水密に封止するよう、バッキング層を継手部分上に滑らかに接着させることが困難なことである。
【０００３】
ここに含まれるさらなる問題は、テープの処理において、しばしばカバーフィルムを苦労せずには接着層から除去し難いことであるが、これは接着されるべきテープ部分からカバーフィルムを引き上げて剥がすことを可能にするための手段が、接着テープの滑らかな切断縁に設けられていないからである。
【０００４】
この発明の目的は、角および縁などの届きにくい領域においても、接着が容易で効果的であり、さらに、これらの領域における接着処理およびテープの使用を容易にする、継手の閉鎖、封止、および接着のための感圧性テープを利用可能にすることである。この発明のさらなる目的は、感圧性テープの保管、輸送および処理における改変である。
【０００５】
この目的は、請求項１に記載される際立った特徴を有する感圧性テープと、請求項１８の接着テープのためのディスペンサとによって達成される。有利な実施例と、さらなる展開例とは、従属項の目的である。
【０００６】
長手方向において、この発明の感圧性テープのカバーフィルムは、少なくとも１つのスリットを有し、テープはそれ自体の上にこのスリットに沿って横方向に折畳まれ、それによりカバーフィルムの少なくとも一部は外側に配置される。この態様で、カバーフィルムは簡単に持ち上げられテープの折畳部でその２つの側部に向かって接着フィルムから剥がされ得るが、これはカバーフィルムに折畳部でスリットが設けてあるからであり、これにより、カバーフィルムの縁は接着層からいくらか外れている。すでにいくらか外れているカバーフィルムの縁は、困難な条件下であっても指で容易に保持することが可能であり、よって外れないまたは剥がすのが困難であるというカバーフィルムの問題はない。さらにまた、テープは折畳みおよびスリットのあるカバーフィルムにより、より容易に処理可能である。まず、テープはカバーフィルムが剥がされた一部のみで、接着されるべき角継手において継手と角とに平行に接着され得る。次に、接着テープがすでに継手部分の片側に接着されると、カバーフィルムの反対側は完全に剥がされ、継手を覆って接着される。接着テープを予め折畳んでおくことはまた、不所望の漏れおよび継手の接着された領域のさらなる処理における問題につながる、たとえば意図しない接着されたテープの折畳みや持ちあがりをも防ぐ。
【０００７】
９０度の角にある継手（窓枠と住宅の外壁との間の継手など）を覆って感圧性テープを接着する場合、予め折畳まれたテープはそれぞれの角において非常に正確な接着を確実にする。
【０００８】
テープは、別々に、および連続して、折畳まれた長手方向部分で接着し得る。これによって、強力接着テープが杜撰に接着されて、剥がして再び接着することにより接着剤または接着テープ残留物が後ろに残るのが見えることを防ぐ。さらに、予め折畳むことによって、テープが角に非常に正確でまっすぐに接着されることができるので接着線は現れず、これにより処理は顕著に簡略化される。
【０００９】
予め折畳むことのさらなる利点は、感圧性テープの処理の時間が節約されることである。以前は必要であったテープを手で１つ１つ予め折畳むことは、いまやまったく必要ではなく、よってこの発明のテープの処理の間の接着時間は半分に減じられ得る。
【００１０】
この発明の有利な展開例にしたがうと、テープは２つのスリットを有し、かつ一方のスリットに沿って横方向に折畳まれる。これは、カバーフィルムを小さな長手方向部分において接着層から連続的に剥がせるという利点を有し、よって接着テープをより容易に、より正確に貼付することができる。まず、テープを非常に小さな縁部分において接着し得る。次いで、テープをさらに接着するためにカバーフィルムの次の部分を剥がし得る。最後においてのみ、カバーフィルムの最後の部分を剥がすことが必要であり、たとえば、これはテープの折り返された側であって、このときまで汚れや意図しない態様での接着を防ぐためにそのままにしてあったものである。
【００１１】
この発明のさらなる有利な展開例に従うと、バッキングは紙および／またはプラスチックフィルムからなり、接着層は感圧性アクリレート接着剤からなる。その結果、感圧性テープは折畳まれた状態においてさえも、従来の組立用接着テープよりも僅かに厚くなり、かつ接着状態においてさえも、接着基面に僅かにだけ貼付され、よって接着テープは、たとえば続いて床敷物類、壁紙、またはしっくいを敷かれるか貼付されるべき領域においても接着することができる。一方では、良好な接着特性から、アクリレート接着剤は角継手を接着するために非常に好適であり、他方では、これは厳しい天候下や風化条件下においてさえも、たとえば外装領域においても、長く持続する接着効果を確実にする。
【００１２】
この発明のさらなる有利な展開例にしたがうと、バッキングは、テープの長手方向に対して横方向に手で裂けるものである。これにより、テープは容易に、それぞれの継手長さに対応して、長手方向部分に分割され得る。よって、テープの処理がより容易である。
【００１３】
この発明のさらなる有利な展開例にしたがうと、接着層は接着中央帯状片を有し、カバーフィルムはスリットを設けられ、接着中央帯状片と隣接する接着層との間の線に沿って折畳まれる。これは特に、直角に互いに隣接する２つの構成要素を接着するために特に有利であるが、これは傾きまたは変位した接着が、これによって特に構成要素の突合せ継手領域において、容易に防がれるからである。それでも、接着テープは継手の信頼できる封止と閉鎖を、縁および角を覆ってさえも確実にするが、これはテープの２つの外側の端縁の接着領域が十分に広く、平坦な表面にのみ接着されるからである。
【００１４】
この発明のさらなる有利な展開例にしたがうと、テープは折畳み状態で、巻かれて接着テープロールにされる。折畳部において露出される接着層は、この態様で他の接着テープ領域には接着できず、接着処理のための前もっての準備なしに接着テープの迅速で簡単な処理が可能である。ある長さに切断されたテープ片は、容易にロールから取ることができ、カバーフィルムを剥がした後で遅れることなく片側で接着できる。閉鎖されるべき継手に貼付する前にテープを予め折畳むステップは、なくされる。したがって、継手の接着は、以前よりも速くより低コストで行なうことができる。
【００１５】
この発明のさらなる有利な展開例にしたがうと、ロールの少なくとも折畳み側に中間層が設けられる。中間層はここで、巻かれたまたは折畳まれたテープの輸送または保管中に、これが折畳部の露出された接着側に接着し得ないことを確実にする。さらに、これにより、テープの接着作用に悪影響をもたらし得る埃などが、この側に堆積することを防ぐ。
【００１６】
この発明のさらなる有利な展開例にしたがうと、テープは適合するロール解きデバイス上に巻かれ、ここからテープは再び解かれ得る。これにより、感圧性テープの煩雑なパッケージ解体および保管の必要がなくなるが、これはテープがロール解きデバイスから再び簡単に解かれ、必要な長さでロールから切断され得るからである。しかしながら、ロール解きデバイスはテープの除去を簡略化するだけでなく、保護および輸送パッケージとしての役割を果たす。さらに、ロール解きデバイスは、処理手段としても用い得るが、これはたとえば、感圧性テープがデバイスからある長さだけ解かれると、感圧性フィルムは折畳み側の片方で１片ずつ剥がされ、テープは次いで解かれて連続的により長いセグメントを覆って、かつ、ロールから、継手の片側上に直接、接着される。
【００１７】
この発明のさらなる展開例にしたがうと、有利に、折畳み側において、これおよびロール解きデバイスの接着を防ぐための手段が設けられる。この目的で、たとえば、ロールの直径に対応したシリコーン処理紙が、巻かれたテープ上に横方向に配置されてもよく、ここから、折畳部でテープに僅かに接着していても、この紙は再び容易に除去され得る。これにより、テープロールへの側部に僅かに接着する一方で、これはロール解きまたは取り外しの間にロールとともにデバイスに沿って回転するという点で、シリコーン処理紙は、ロール解きデバイスの内部における横方向の接着を防止する。
【００１８】
この発明のさらなる有利な局面にしたがうと、ロール状に巻かれる感圧性テープのためのディスペンサが設けられる。このディスペンサは、本質的にロールを囲み、接着テープのための少なくとも１つの出口スロットを有する。ディスペンサは、輸送のために保護的に容器に入れる利点を有する一方で、同時に、取り扱いは簡略化され感圧性テープは連続的に処理される。周辺状態が非常に埃が多くても、汚物が露出された接着部位に到達して接着力を減じることが防がれる。ディスペンサに囲まれた接着テープは、出口スロットから容易に解かれることができ、取りはずされて接着されるか、または（長い接着部位の場合）連続的にもしくは（短い接着部位の場合）１片ずつ直接ディスペンサから切断されて接着される。
【００１９】
この発明の組立用接着テープと組立用接着ディスペンサとの例を図面に示し、以下に図面を参照しながらより詳細に説明する。
【００２０】
図１において組立用接着テープが示され、これはバッキング１と、接着層２と、カバーフィルム３とを含む。カバーフィルム３は、テープの長手方向に２つのスリット６を含む。２つの長手方向に配置されるスリット６が設けられているので、組立用テープの外側領域をそれら自体の上に折畳むことが可能であり、スリット６の配置される態様は、折畳まれたテープ領域が互いに重なり合うか、または折畳領域が互いに重なり合わないよう、テープ領域がテープの上に折畳まれるもののいずれかである。
【００２１】
図２において、この発明の組立用接着テープが示され、これは図１のものと同様の基礎的な構造を有する。組立用接着テープは、バッキング１と、好ましくはアクリレート接着剤からなる接着層２と、カバーフィルム３とを有する。組立用接着テープは、本質的に連続的なスリット６に沿ってそれ自体の上に折畳まれる。テープは、３〜４ｃｍの幅を有する。カバーフィルムのスリット６が、本質的にテープの中央に配置され、したがってテープの半分が残りの半分の上に折畳まれてもよい。図２においては、テープの全幅の一部のみがスリット６に沿ってそれ自体の上に折畳まれている。接着層２は、１００ｇ／ｍ２よりも多い、および好ましくは２００ｇ／ｍ２のアクリレート接着剤からなる。テープはカバーフィルム３のスリット６に沿って折畳まれ、よって折畳部の、たとえばシリコーン処理紙からなるカバーフィルムは、接着層２から容易に外されることができ、よって何の問題もなく手で保持され剥がされることができる。テープの全体が折畳まれた状態でロール状に巻かれ、側部に輸送およびパッケージのための中間層を設けられる。中間層は、たとえば、シリコーン処理された円形の紙であり、その直径は巻かれたテープの直径に対応する。円形の紙は、露出された折畳部に僅かに接着するとしても、容易に外れるようシリコーン処理される。当業者が熟知する他の手段を接着手段として用いてもよい。
【００２２】
少なくとも接着層２から遠い側では、バッキング１は白などの明るい色を有し、それにより、接着テープによって封止された継手に、鮮やかな塗料の薄い層などのしっくい層をも設けることを、テープの色が後で透けて見えて干渉することなく、可能にする。この例においては、テープは３〜４ｃｍの幅を有する。しかしながらまた、封止されるべき要件および継手の幅に依存して、より幅広の最大５０ｃｍ幅のこの発明の感圧性テープをも提供し得ることは自明である。
【００２３】
図３は、組立用接着テープディスペンサの概略図であって、中に図２の、それ自体の上に折畳まれた組立用テープが収容される。使用のために、組立用接着テープは、ディスペンサの前部に設けられる出口スロット９を通ってディスペンサを出る。好ましくは、ディスペンサは厚紙から作られており、組立用接着テープは有利に、組立用接着テープを備えたユニットで販売され、使用され得る。これは、組立用接着テープが、特に接着層が部分的に直近の折畳線で露出されているためにこれらの折畳線で汚れることを防ぐ。組立用接着テープはディスペンサとともに簡単に輸送され得るだけではなく、汚れから防止されて建築現場で安全に用いることができる。ディスペンサは、使い捨て可能な物品、すなわち、組立用接着テープが完全に使い切られた後で捨てられるものか、または補充可能な箱として構築され得る。
【図面の簡単な説明】
【図１】それ自体の上にまだ折畳まれていない組立用接着テープの例を示す図である。
【図２】一部がそれ自体の上に折畳まれた、図１の組立用接着テープを示す図である。
【図３】それ自体の上に折畳まれた、この発明の組立用接着テープの組立用テープディスペンサを概略的に示す図である。
【国際公開パンフレット】
2004502019.tif 000003
2004502019.tif 000004
2004502019.tif 000005
2004502019.tif 000006
2004502019.tif 000007
2004502019.tif 000008
2004502019.tif 000009
2004502019.tif 000010
2004502019.tif 000011
2004502019.tif 000012
2004502019.tif 000013
2004502019.tif 000014
2004502019.tif 000015
2004502019.tif 000016
2004502019.tif 000017
【国際調査報告】
2004502019.tif 000018
2004502019.tif 000019
2004502019.tif 000020
2004502019.tif 000021